(57)【特許請求の範囲】
【請求項１】
被加熱物を加熱する加熱部と、前記被加熱物に与える熱量を前記被加熱物の量または温度、或いはその両方を基に、前記加熱部の加熱出力を制御して予め決められた加熱シーケンスを実行する調理プロセスに従う１つ以上の自動調理メニュー及び前記調理プロセスに従わない手動設定を含む複数の調理メニューのうちの一つを同一の動作で行なう操作の繰り返しにより順次選択する選択手段、加熱スタート手段並びに前記加熱部の動作時間を設定する調理時間設定手段を有する操作部と、前記操作部で前記選択手段が何も操作されておらず加熱していない状態である初期状態において、前記調理メニューが選択された後、前記加熱スタート手段が操作された場合に前記加熱部の動作を開始して前記加熱部の加熱出力を選択された前記調理メニューに従って制御し、前記調理メニューが選択された状態で所定時間前記加熱スタート手段が操作されない場合に前記初期状態に移行する制御部と、選択された前記調理メニューを表示する表示部とを備え、前記調理メニューは、前記初期状態において前記選択手段が操作された場合には、最初に前記自動調理メニュー、次に前記手動設定の順で選択され、前記初期状態において前記調理時間設定手段が操作された後、前記選択手段が操作された場合には、最初に前記手動設定、次に前記自動調理メニューの順で選択されるように構成した加熱調理器。
【請求項２】
調理時間設定手段が操作された状態で、所定時間加熱スタート手段が操作されなかった場合は、制御部は初期状態に移行するように構成した請求項１に記載の加熱調理器。
【請求項３】
初期状態に移行した場合は、表示部での表示も停止するように構成した請求項１または２に記載の加熱調理器。
【請求項４】
操作部は取り消し手段を備え、選択手段或いは調理時間設定手段が操作された後、前記取り消し手段の操作により、制御部は初期状態に移行し、表示部での表示も停止するように構成した請求項１〜３の何れか１項に記載の加熱調理器。
【請求項５】
被加熱物を加熱する加熱部と、前記被加熱物に与える熱量を前記被加熱物の量または温度、或いはその両方を基に、前記加熱部の加熱出力を制御して予め決められた加熱シーケンスを実行する調理プロセスに従う複数の自動調理メニュー及び前記調理プロセスに従わな
い手動設定を含む複数の調理メニューのうちの一つを同一の動作で行なう操作の繰り返しにより順次選択する選択手段、加熱スタート手段並びに前記加熱部の動作時間を設定する調理時間設定手段を有する操作部と、前記操作部で前記選択手段が何も操作されておらず加熱していない状態である初期状態において、前記調理メニューが選択された後、前記加熱スタート手段が操作された場合に前記加熱部の動作を開始して前記加熱部の加熱出力を選択された前記調理メニューに従って制御し、前記調理メニューが選択された状態で所定時間前記加熱スタート手段が操作されない場合に前記初期状態に移行する制御部と、選択された前記調理メニューを表示する表示部とを備え、前記表示部は、前記選択手段が操作された際に、選択することのできる全ての前記調理メニューを点灯表示し、選択状態にある前記調理メニューを消灯より開始して点滅表示するように構成した加熱調理器。
【請求項６】
報知手段を有し、初期状態で、加熱スタート手段が操作された際に、前記報知手段は加熱開始しない旨を報知するように構成した請求項１〜５の何れか１項に記載の加熱調理器。
【発明の詳細な説明】
【技術分野】
【０００１】
本発明は一般家庭やレストラン及びオフィスなどで使用される加熱調理器に関するものである。
【背景技術】
【０００２】
従来、加熱切／入キーの操作により選択可能なメニューが表示され、その内の１つが選択された状態となり、その後一定時間の間のみメニューキーによるメニュー選択が可能であり、その後キー操作がなければ一定時間後に選択されたメニューの調理プロセスがスタートする加熱調理器が開示されている。
【特許文献１】特許第３６２０４３０号公報
【発明の開示】
【発明が解決しようとする課題】
【０００３】
しかしながら、前記従来の構成では、加熱切／入を押下後、何らキー操作が為されなければ所定時間後に自動的に最初に選択状態にあるメニューで調理開始となるため、通常使用時にはキー操作回数を低減できる反面、使用者が意図せず加熱切／入キーに触れてしまった場合等に、ヒータが意図せず発熱してしまうという課題を有していた。
【０００４】
また、調理プロセスに従う自動調理と調理プロセスに従わず使用者の設定に従う手動調理とで、キー操作の方法を変えて、例えば、自動調理はメニューキーの押下により調理メニューを選択して、加熱切／入キー押下にて加熱スタート、手動調理は加熱切／入キー押下にて加熱スタートというようにした加熱調理器も提案されているが、実施しようとする調理の種類でキーの操作方法が異なるため分かり難く、かつ手動調理においては加熱切／入キーを１回押下するのみで加熱スタートするため、キー操作の回数は低減できるものの、前記した使用者の意図しないヒータの発熱が発生する恐れがあるという課題を有していた。
【０００５】
本発明は、前記従来の課題を解決するもので、加熱部の加熱開始に至るまでは、どの調理メニューであっても少なくとも２アクションの操作として、意図しない加熱部の動作となることを防止すると共に、同様の操作方法で使用でき使用者が操作に戸惑うことを低減して、使い勝手の良い、より安全な加熱調理器を提供することを目的とする。
【課題を解決するための手段】
【０００６】
前記従来の課題を解決するために、本発明の加熱調理器は、被加熱物を加熱する加熱部と、前記被加熱物に与える熱量を前記被加熱物の量または温度、或いはその両方を基に、前記加熱部の加熱出力を制御して予め決められた加熱シーケンスを実行する調理プロセスに従う１つ以上の自動調理メニュー及び前記調理プロセスに従わない手動設定を含む複数の調理メニューのうちの一つを同一の動作で行なう操作の繰り返しにより順次選択する選択手段、加熱スタート手段並びに前記加熱部の動作時間を設定する調理時間設定手段を有する操作部と、前記操作部で前記選択手段が何も操作されておらず加熱していない状態である初期状態において、前記調理メニューが選択された後、前記加熱スタート手段が操作された場合に前記加熱部の動作を開始して前記加熱部の加熱出力を選択された前記調理メニューに従って制御し、前記調理メニューが選択された状態で所定時間前記加熱スタート手段が操作されない場合に前記初期状態に移行する制御部と、選択された前記調理メニューを表示する表示部とを備え、前記調理メニューは、前記初期状態において前記選択手段が操作された場合には、最初に前記自動調理メニュー、次に前記手動設定の順で選択され、前記初期状態において前記調理時間設定手段が操作された後、前記選択手段が操作された場合には、最初に前記手動設定、次に前記自動調理メニューの順で選択されるように構成したものである。
【０００７】
これによって、所定の調理プロセスに従うオート調理、調理プロセスに従うことなく使用者の設定に従う手動調理のどちらの調理であっても、同様の操作方法で使用でき使用者が操作に戸惑うことを防止すると共に、加熱部の加熱スタートを２アクション以上の操作回数にできる。また、操作部は加熱部の動作時間を設定する調理時間設定手段を有し、調理時間設定手段が操作された後、選択手段が操作された場合には、使用者が調理プロセスに従わない手動調理を実行しようとしているとみなせるので、調理メニューの選択順序で第１位を手動調理に変更して、手動調理が選択される迄の選択手段の操作回数を減らすことができる。
【発明の効果】
【０００８】
本発明の加熱調理器は、加熱部の加熱開始に至るまでは、どの調理メニューであっても少なくとも２アクションの操作として、意図しない加熱部の動作となることを防止すると共に、同様の操作方法で使用でき使用者が操作に戸惑うことを低減することができる。
【発明を実施するための最良の形態】
【０００９】
第１の発明は、被加熱物を加熱する加熱部と、前記被加熱物に与える熱量を前記被加熱物の量または温度、或いはその両方を基に、前記加熱部の加熱出力を制御して予め決められた加熱シーケンスを実行する調理プロセスに従う１つ以上の自動調理メニュー及び前記調理プロセスに従わない手動設定を含む複数の調理メニューのうちの一つを同一の動作で行なう操作の繰り返しにより順次選択する選択手段、加熱スタート手段並びに前記加熱部の動作時間を設定する調理時間設定手段を有する操作部と、前記操作部で前記選択手段が何も操作されておらず加熱していない状態である初期状態において、前記調理メニューが選択された後、前記加熱スタート手段が操作された場合に前記加熱部の動作を開始して前記加熱部の加熱出力を選択された前記調理メニューに従って制御し、前記調理メニューが選択された状態で所定時間前記加熱スタート手段が操作されない場合に前記初期状態に移行する制御部と、選択された前記調理メニューを表示する表示部とを備え、前記調理メニューは、前記初期状態において前記選択手段が操作された場合には、最初に前記自動調理メニュー、次に前記手動設定の順で選択され、前記初期状態において前記調理時間設定手段が操作された後、前記選択手段が操作された場合には、最初に前記手動設定、次に前記自動調理メニューの順で選択されるように構成したものである。これにより、スイッチ等で構成された操作部のスイッチの押下操作により、加熱部の加熱開始、停止、火力調整等の動作設定ができる。また、調理プロセスに対応した自動調理メニューや、調理プロセスに従わない手動調理を操作部の選択手段で選択し制御部に伝達して、その状態を表示部に表示しつつ、サーミスタや赤外線センサ、重量センサ等を用い被加熱物に与える熱量を被加熱物の量または温度、或いはその両方を基に設定した調理プロセスに従って、加熱部の動作を制御することで使用者の手間を軽減した自動調理を実現すると共に、これら調理プロセスに従わず、使用者の思惑に近い火力設定や加熱時間で調理する手動調理を行うことができる。また、選択手段によるメニューの選択順序は、自動調理メニュー、手動調理の順にしてあることで、使用頻度の高い自動調理を優先することで、選択手段の操作回数を低減している。更に、手動設定を含む調理メニューを選択手段の操作により選択し、加熱スタート手段で加熱部の加熱動作の開始を行うので、自動調理、手動調理によらず同様の操作手順で使用できると共に、全ての調理に対して手段の操作を２アクションにできるので、調理の種類による操作方法の差をなくして使用者を戸惑わすこと無く、かつ意図しない操作に対する安全性を向上することができる。また、調理時間設定手段が操作された後、選択手段が操作された場合には、調理プロセスよりも手動設定が先に選択されるように構成したものである。これにより、使用者が調理プロセスに従わない手動調理を実行しようとしているとみなせるので、調理メニューの選択順序で第１位を手動調理に変更して、手動調理が選択される迄の選択手段の操作回数を減らすことができる。
【００１０】
第２の発明は、特に、第１の発明において、調理時間設定手段が操作された状態で、所定時間加熱スタート手段が操作されなかった場合は、制御部は初期状態に移行するように構成したものである。これにより、意図しない選択手段の操作があった場合に、意図しない加熱スタート手段操作があった際に加熱部が加熱開始する機会を低減することができる。
【００１１】
第３の発明は、特に第１または第２の発明において、初期状態に移行した場合は、表示部での表示も停止するように構成したものである。これにより、意図しない選択手段の操作があった場合に、再度意図しない加熱スタート手段操作があった際に加熱部が加熱開始する機会を低減することができる。
【００１２】
第４の発明は、特に第１〜第３の何れか１つの発明において、操作部は取り消し手段を備え、選択手段或いは調理時間設定手段が操作された後、前記取り消し手段の操作により、初期状態に移行し、表示部での表示も停止するように構成したものである。これにより、使用者が誤って選択手段或いは調理時間設定手段を操作してしまった場合や意図しない選択手段の操作があった場合に使用者自らが取り消し手段を操作すれば、即座に直前の操作を取り消すことができるので、直ぐに次の操作を行う、または操作を中止することができる。
【００１３】
第５の発明は、被加熱物を加熱する加熱部と、前記被加熱物に与える熱量を前記被加熱物の量または温度、或いはその両方を基に、前記加熱部の加熱出力を制御して予め決められた加熱シーケンスを実行する調理プロセスに従う複数の自動調理メニュー及び前記調理プロセスに従わない手動設定を含む複数の調理メニューのうちの一つを同一の動作で行なう操作の繰り返しにより順次選択する選択手段、加熱スタート手段並びに前記加熱部の動作時間を設定する調理時間設定手段を有する操作部と、前記操作部で前記選択手段が何も操作されておらず加熱していない状態である初期状態において、前記調理メニューが選択された後、前記加熱スタート手段が操作された場合に前記加熱部の動作を開始して前記加熱部の加熱出力を選択された前記調理メニューに従って制御し、前記調理メニューが選択された状態で所定時間前記加熱スタート手段が操作されない場合に前記初期状態に移行する制御部と、選択された前記調理メニューを表示する表示部とを備え、前記表示部は、前記選択手段が操作された際に、表示部は選択することのできる全ての調理プロセスと手動設定を点灯表示すると共に、選択状態にある前記調理プロセス或いは前記手動設定を点滅表示するように構成したものである。これにより、調理プロセスに対応した自動調理メニューや、調理プロセスに従わない手動調理を操作部の選択手段で選択し制御部に伝達して、その状態を表示部に表示しつつ、サーミスタや赤外線センサ、重量センサ等を用い被加熱物に与える熱量を被加熱物の量または温度、或いはその両方を基に設定した調理プロセスに従って、加熱部の動作を制御することで使用者の手間を軽減した自動調理を実現すると共に、これら調理プロセスに従わず、使用者の思惑に近い火力設定や加熱時間で調理する手動調理を行うことができる。また、選択手段によるメニューの選択順序は、自動調理メニュー、手動調理の順にしてあり、使用頻度の高い自動調理を優先することで、選択手段の操作回数を低減している。更に、手動設定を含む調理メニューを選択手段の操作によ
り選択し、加熱スタート手段で加熱部の加熱動作の開始を行うので、自動調理、手動調理によらず同様の操作手順で使用できると共に、全ての調理に対して手段の操作を２アクションにできるので、調理の種類による操作方法の差をなくして使用者を戸惑わすこと無く、かつ意図しない操作に対する安全性を向上することができる。また、全ての選択可能な調理内容を使用者が視覚的に認識できると共に、選択中の調理プロセス或いは手動設定を認識できる。また、表示の点灯・点滅で表現しているので、表示素子等の新たな部品追加を防ぐことができる。
【００１５】
第６の発明は、特に第１〜第５の何れか１つの発明において、報知手段を有し、初期状態で、加熱スタート手段が操作された際には、前記報知手段は加熱開始しない旨を報知するように構成したものである。これにより、操作に不慣れな使用者が誤った操作をしようとした際等に、その操作が誤りであることを容易に認識させることができる。
【００１６】
以下本発明の加熱調理器の実施の形態を図面に基づいて説明する。なお、この実施の形態によって本発明が限定されるものではない。
【００１７】
（実施の形態１）
以下、本発明の実施の形態を図面に基づいて説明する。図１は本発明の実施の形態の構成を示すブロック図である。
【００１８】
図１において、加熱部１、制御部２が有り、操作部３は「選択」キー（選択手段）３ａ、「切／開始」キー（加熱スタート手段）３ｂ、「分」キー（調理時間設定手段）３ｃ、「取り消し」キー（取り消し手段）３ｄを含み、加熱部１の動作設定状態を設定するスイッチ等で構成しており、表示部４はその設定状態に対応した表示を行うＬＥＤやＬＣＤで構成しており、報知手段５はブザーやスピーカで構成されている。
【００１９】
以上のように構成された加熱調理器について、その動作、作用を説明する。
【００２０】
使用者が操作部３の「選択」キー３ａを１回押下すると、表示部４には加熱部１で使用可能な調理メニューである、自動調理１、自動調理２、自動調理３、手動調理を表す文字或いはその調理に対応した図形をＬＥＤやＬＣＤの点灯により表示する、例えば本実施の形態では自動調理１はＬＥＤ４ｃ、自動調理２はＬＥＤ４ｄ、自動調理３はＬＥＤ４ｅ、手動調理はＬＥＤ４ｆを点灯する、と共に、自動調理１の文字或いは図形を点滅表示、本実施の形態ではＬＥＤ４ｃを点滅表示して、現在選択されている調理プロセスが自動調理１で有る旨を表示する。もう１度「選択」キー３ａを押下すると、点滅する調理メニューは自動調理２に移動（ＬＥＤ４ｄが点滅）し、自動調理２が選択されている状態になる。同様に「選択」キー３ａを１回押下する度に、自動調理３（ＬＥＤ４ｅが点滅）→手動調理（ＬＥＤ４ｆが点滅）と選択されている調理メニューが移動していき、手動調理が選択されている状態で更に「選択」キー３ａを１回押下すると、再び自動調理１（ＬＥＤ４ｃが点滅）に、選択されている調理メニューが移動する。最初、「選択」キー３ａを３回押下すると、自動調理３が選択された状態になり、この段階で「切／開始」キー３ｂを１回押下すれば、操作部３は自動調理３を調理プロセスとする加熱をスタートする旨を制御部２に指令し、制御部２はこれに基づいて加熱部１の加熱火力を制御して被加熱体（図示せず）を加熱すると共に、被加熱体の近傍に設けたサーミスタ（図示せず）等から検出した温度情報を基に、被加熱体の加熱状況をモニタして、その状態に応じて予め決められた加熱シーケンスを実行しつつ、表示部４の加熱状態を示すＬＥＤ４ａを点灯し、数字表示素子４ｇには大まかな調理残時間を表示し、調理の進行または時間の経過と共にその値を減じて表示して、その時間が「０」に到達した時点で、調理終了して加熱部１の動作を自動的に停止して初期状態となるので、使用者が被加熱体の出来映えを確認しながら都度火力を調整するといった手間をかけずに被加熱体を加熱調理することができる。また、「選択」キー３ａによるメニューの選択順序は、自動調理メニュー、手動調理の順にしてあるこ
とで、使用頻度の高い自動調理を優先することで、「選択」キー３ａの押下回数を低減している。
【００２１】
これにより、複数の自動調理メニューと手動調理を「選択」キー３ａの押下の繰り返しで選択し、「切／開始」キー３ｂを押下して加熱開始するという、調理メニューの種類に関係なく、同一の動作で行うことができ、使用者が操作に戸惑うことを減少すると共に、加熱開始までのキー操作が２アクションとすることができ、使用者の意図しないキー押下に対して加熱部１の不用意な加熱開始を防止して安全性を高めることができる。
【００２２】
また、手動調理を実行するには、操作部３で何もキーが押下されておらず、表示部４での表示なし、加熱部１が加熱動作していない状態（以降初期状態と表す）で「選択」キー３ａを４回押下して手動調理ＬＥＤ４ｆを点滅する手動調理が選択されている状態にした後、「切／開始」キー３ｂを押下することで、加熱部１は手動調理として加熱開始する。この時、加熱状態を示すＬＥＤ４ａ、火力設定状態を示すＬＥＤ４ｂに、設定されている状態を点灯・消灯によって表示する。加熱中であれば加熱状態を示すＬＥＤ４ａを点灯させ、加熱停止中であれば消灯させる。また、火力設定状態はＬＥＤ９ｂの中の、設定されている火力、本実施の形態では「強」・「中」・「弱」といった火力、に対応したＬＥＤを点灯させる。加熱火力の設定は「火力アップ」キー３ｆ、「火力ダウン」キー３ｅを押す毎に設定できる。加熱部１の加熱を停止する際は、「切／開始」キー３ｂを押下することで実現している。
【００２３】
「分」キー３ｃは使用者が調理時間を任意に設定するためのもので、調理時間の設定なしに手動調理を実行している際に、「分」キー３ｃを押下する度に表示部４に設けた数字表示素子４ｇに「１」分から最大「３０」分迄１分刻みに増加させて表示する。この設定された時間を１分が経過する毎に残り時間を表示部４の数字表示素子４ｇに減算しつつ表示し、「０」となった時に加熱部の加熱を自動的に停止するものである。また、初期状態に、「分」キー３ｃが押下されて調理時間が設定されている際に、「選択」キー３ａが１回押下されると、表示部４に表示される調理メニューの選択状態は、自動調理１（ＬＥＤ４ｃ）が点滅表示するのではなく、第１番目には手動調理（ＬＥＤ４ｆ）が点滅表示して選択された状態になる。この後「切／開始」キー３ｂを押下することにより、調理時間が設定された手動調理として加熱部１は加熱開始する。これにより、初期状態から調理時間を設定した場合は、メニュー選択の順序を手動調理が最初になるように変更しているので、「選択」キー３ａを１回だけ押下すれば手動調理が選択状態になるので、「選択」キー３ａの押下回数を減少し、使い勝手を向上することができる。
【００２４】
初期状態から「選択」キー３ａ或いは「分」キー３ｃが押下され、表示部４に対応した表示が成されている状態で所定時間、本実施の形態では１分間、次に行われるべきキー押下がないと自動的に初期状態に移行するので、意図しない「選択」キー３ａの押下があった場合に、再度意図しない「切／開始」キー３ｂ押下があった際に加熱部が加熱開始する機会を低減して安全性を高めている。
【００２５】
「取り消し」キー３ｄは初期状態から「選択」キー３ａ或いは「分」キー３ｃが押下され、表示部４に対応した表示が成されている状態を使用者の意図で停止したい時に使用するもので、使用者が誤って「選択」キー３ａ或いは「分」キー３ｃを押下してしまった場合や意図しない「選択」キー３ａの押下があった場合に使用者自らが「取り消し」キー３ｄを押下すれば、即座に直前のキー押下を取り消すことができるので、直ぐに次の操作を行う、または操作を中止して初期状態にすることが可能となり、使い勝手を向上することができる。
【００２６】
また、本実施の形態では初期状態から「選択」キー３ａが押下された際に、表示部４は選択することのできる全ての調理プロセス、本実施の形態では自動調理１（ＬＥＤ４ｃ）・自動調理２（ＬＥＤ４ｄ）・自動調理３（ＬＥＤ４ｅ）、と手動調理（ＬＥＤ４ｆ）を点灯表示すると共に、選択状態にある調理プロセス或いは手動調理を点滅表示するようにして、全ての選択可能な調理メニューを使用者が視覚的に認識できると共に、選択中の調理メニューは何であるかを容易に認識できる。また、表示の点灯・点滅で表現しているので、各調理メニューをＬＥＤの発光でそれぞれ表示する構成にしている際に、選択状態である旨を示す専用のＬＥＤを設ける等新たな部品追加を防止している。
【００２７】
この時、選択状態にある自動調理１（ＬＥＤ４ｃ）・自動調理２（ＬＥＤ４ｄ）・自動調理３（ＬＥＤ４ｅ）或いは手動調理（ＬＥＤ４ｆ）を点滅表示する際は、消灯より開始するようにしており、選択状態にある自動調理１（ＬＥＤ４ｃ）・自動調理２（ＬＥＤ４ｄ）・自動調理３（ＬＥＤ４ｅ）或いは手動調理（ＬＥＤ４ｆ）を点滅表示する周期において、点灯期間内に素早い「選択」キー３ａの押下の繰り返し有った場合でも、どの調理メニュー或いは手動調理が選ばれているかを認識し易くしている。
【００２８】
報知手段５は上記した各キー押下を受け付ける毎に、所定の報知音を発し、例えば０．５秒のブザー吹鳴、使用者にキー押下が成され操作部３がそれを受け付けた旨を確認しながら操作することができる。また、本実施の形態では初期状態で、「切／開始」キー３ｂが押下された際には、報知手段５が加熱開始しない旨を上記キー受け付けの報知音とは異なった報知音、例えば、０．２秒オン、０．２秒オフの３回のブザー吹鳴、を行うので、初期状態での「切／開始」キー３ｂでは動作しないことを使用者に容易に認識させることができる。
【００２９】
以上のように本実施の形態によれば、加熱部１の加熱開始に至るまでは、どの調理メニューであっても少なくとも２アクションのキー押下操作として、意図しない加熱部１の動作となることを防止して安全性を向上すると共に、同様のキーの押下操作方法で使用でき、使用者が操作に戸惑うことを低減して使い勝手を向上することができる。
【００３０】
尚、本実施の形態では選択できる調理プロセスに従う調理メニューは３としているが、１つ以上であれば同様の効果を得られる。また、各操作をキーの押下で説明しているが、キーの押下に限定せず、ロータリーエンコーダー等を利用したダイヤルの回転操作や、レバーの上下操作等であっても同様の効果が得られることは言うまでもないことである。
【産業上の利用可能性】
【００３１】
本発明の加熱調理器は、１つの加熱部に対して調理タイマー設定を行った手動調理を含む複数の調理メニューを選択して使用する際に有用となるので、オーブントースターやフィッシュロースター、炊飯器、ＩＨ調理器、電子レンジ等の電器調理器、或いは電気以外の熱源を用いたガスコンロ等に適用できる。
【図面の簡単な説明】
【００３２】
【図１】本発明の実施の形態１における加熱調理器のブロック図
【符号の説明】
【００３３】
１  加熱部
２  制御部
３  操作部
３ａ  選択手段（「選択」キー）
３ｂ  加熱スタート手段（「切／開始」キー）
３ｃ  調理時間設定手段（「分」キー）
３ｄ  取り消し手段（「取り消し」キー）
４  表示部
５  報知手段
【図１】
0004591369.tif 000002